(57)【要約】【課題】蓋部材の開操作を指で行えるように、蓋部材の周辺のカバー部材に指掛けの座ぐりを設けている撮像装置がある。このような座ぐり形状は、外観品位としては存在しないに越したことはない。表示部を閉じてしまうと外観から隠れてしまう蓋部材を有した撮像装置がある。このような構成では蓋部材の位置が直感的に分からず、使用者が探さなければならないという問題点があった。【解決手段】回転操作で開閉可能な表示部と、前記表示部を閉じた状態の面で前記表示部と対向した面に蓋部材を有し、前記表示部の開閉の回転軸と直行する回転軸を中心とした回転によって前記蓋部材の開閉を行う撮像装置に於いて、前記蓋部材の前記回転軸側と反対側の端部は、前記表示部の他方の端面よりも外側に存在することを特徴とする。【選択図】図２
2015171125.tif 000002
【特許請求の範囲】
【請求項１】
回転操作で開閉可能な表示部と、前記表示部を閉じた状態において前記表示部と対向した面に蓋部材を有し、前記表示部の開閉の回転軸と直行する回転軸を中心とした回転によって前記蓋部材の開閉を行う撮像装置に於いて、
前記蓋部材の前記回転軸側と反対側の端部は、前記表示部の他方の端面よりも外側に存在することを特徴とする撮像装置。
【請求項２】
前記蓋部材の回転軸は前記表示部の一方の端面より外側に存在していることを特徴とする請求項１に記載の撮像装置。
【請求項３】
前記蓋部材は、撮像装置の記録媒体を収納する部位を覆う蓋部材であることを特徴とする請求項１に記載の撮像装置。
【請求項４】
前記回転軸側と反対側の端部は撮像装置の上面に表出していることを特徴とする請求項１に記載の撮像装置。
【請求項５】
前記端部の近傍で、上面に表出した個所に、表示灯部材が設けられたことを特徴とする請求項４に記載の撮像装置。
【発明の詳細な説明】
【技術分野】
【０００１】
本発明は、回転式で開閉を行う蓋部材を有した撮像装置に関する。
【背景技術】
【０００２】
従来より特許文献１のように、記録媒体の蓋部材を回転式に開閉する方式の撮像装置が提案されている。
【０００３】
特許文献１の蓋部材は指で開操作を行えるように、蓋部材の周辺のカバー部材に指掛けの座ぐりを設けている。このような座ぐり形状は、外観品位としては存在しないに越したことはない。また、特許文献１の蓋部材は、表示部を閉じてしまうと外観から隠れてしまう。このような構成では蓋部材の位置が直感的に分からず、使用者が探さなければならないという問題点があった。
【先行技術文献】
【特許文献】
【０００４】
【特許文献１】特開2012-134814号公報
【発明の概要】
【発明が解決しようとする課題】
【０００５】
蓋部材開閉用の座ぐりを設けることなく、開閉を行えるように構成するとともに、使用者が蓋部材の位置を表示部の開閉なしに確認可能な撮像装置を提供することを目的とする。
【課題を解決するための手段】
【０００６】
上述した課題を解決するために、本発明における撮像装置は回転操作で開閉可能な表示部と、前記表示部を閉じた状態において前記表示部と対向した面に蓋部材を有し、前記表示部の開閉の回転軸と直行する回転軸を中心とした回転によって前記蓋部材の開閉を行う撮像装置に於いて、前記蓋部材の前記回転軸側と反対側の端部は、前記表示部の他方の端面よりも外側に存在することを特徴としている。
【発明の効果】
【０００７】
本発明によれば、蓋部材開閉用の座ぐりを設けることなく開閉を行えるとともに、使用者が蓋部材の位置を表示部の開閉なしに確認可能とすることができる。
【図面の簡単な説明】
【０００８】
【図１（ａ）】デジタルビデオカメラ１０１の外観斜視図。
【図１（ｂ）】デジタルビデオカメラ１０１の外観斜視図。
【図１（ｃ）】デジタルビデオカメラ１０１の外観斜視図。
【図１（ｄ）】デジタルビデオカメラ１０１の外観斜視図。
【図２】デジタルビデオカメラ１０１の外観図及び断面図。
【図３】デジタルビデオカメラ１０１の外観図及び断面図。
【図４】デジタルビデオカメラ１０１の外観図及び断面図。
【図５】デジタルビデオカメラ１０１の外観図及び断面図。
【発明を実施するための形態】
【０００９】
＜第１の実施形態＞
図1(a)(b)(c)(d)に本実施例におけるデジタルビデオカメラ１０１の外観斜視図を示す。以降の説明に用いる前後上下左右は図示の座標系ｘｙｚ１０２に則る。ｘ方向の矢印方向が前、矢印と反対方向が後、ｙ方向の矢印方向が上、矢印と反対方向が下、ｚ方向の矢印方向が右、矢印と反対方向が左とする。
【００１０】
デジタルビデオカメラ１０１は前方に撮像レンズ部１０３と右側面に開閉可能な表示部１０４を有している。図１(a)は表示部１０４が閉じた状態の斜視図、(b)は開いた状態の斜視図をそれぞれ示す。表示部１０４を開いた部分にある右側面カバー部材１０５上にはカード蓋１０６を有している。図１(b)はカード蓋１０６が閉じた状態であり、(c)にはカード蓋１０６が開いた状態の斜視図をしめす。カード蓋１０６を開けた内部に、デジタルビデオカメラ１０１の撮像データ等を記録するカード１０７が収納されている。図１(d)にはカード蓋１０６を開いた状態で、表示部１０４を閉じた状態の斜視図を示す。本実施例のカード蓋１０６はこの図の通り、カード蓋１０６を開いた状態でも表示部１０４を閉じることが可能である。また、図１(a)に示す通り、カード蓋１０６を閉めた状態で表示部１０４を閉めても、表示部１０４の上面からカード蓋１０６の端部１０８が視認可能であることを特徴としている。
【００１１】
カード蓋１０６の端部１０８の近傍には、カード１０７への書き込みや読み込み時の表示灯１０９が設けられている。表示灯１０９は一般的なデジタルビデオカメラで搭載されている表示灯で、記録媒体への書き込み中や読み込み中に不用意に使用者が記録媒体を抜くなどしないために、書き込み中や読み込み中に点灯することで注意を喚起するＬＥＤなどで構成されたものである。端部１０８と表示灯１０９が表示部１０４を閉じた状態でも視認可能であることから、どのカード蓋１０６に読み込みや書き込みが行われているかの確認が、表示部１０４を閉じた状態でも容易に確認可能である。
【００１２】
次にカード蓋１０６の構成について詳述する。
【００１３】
図２(a)は図１(a)を右側面から見た図を示す。また図２(b)は図２(a)のＡ−Ａ断面における断面図を示す。
【００１４】
カード蓋１０６は前述したとおり、表示部１０４の上面から端部１０８が表出している。このように構成することで、使用者の指２０１を端部１０８に掛けることが可能である。このように構成することで、図２(c)に示すように、表示部１０４を開いた状態でカード蓋１０６を開くときに、指２０１で端部１０８を触れて開くことが可能となる。
【００１５】
また、カード蓋１０６の開閉の回転中心２０２は閉じた状態の表示部１０４よりも下側に配置されている。
【００１６】
図３(a)は図１(d)を右側面から見た図を示す。また図３(b)は図２(a)のＡ−Ａ断面における断面図を示す。
【００１７】
カード蓋１０６は回転中心２０２を中心に回転することで開き、突き当て部２０３に当たるまで開く。突き当て部２０３に当たって開いた状態で、端部１０８はデジタルビデオカメラ１０１の底面２０４よりも上側になるような位置に、突き当て部２０３は構成されている。このように構成されることで、カード蓋１０６が開いた状態でデジタルビデオカメラ１０１を机などに置いても、端部１０８が机などに当たらない。
【００１８】
前述の通り、回転中心２０２が表示部１０４よりも下側に配置されているため、カード蓋１０６を開いた状態でも、カード蓋１０６が表示部１０４に当たらないのは図に示す通りである。
【００１９】
本発明の優位性を示すために、本発明を適用しなかった場合の例を図を用いて説明し、本実施例との比較を以下に示す。
【００２０】
図４(a)は回転中心２０２が表示部１０４よりも上側、つまり表示部１０４の閉じた範囲内に存在した場合の右側面模式図を示す。カード蓋１０６の端部１０８は表示部１０４よりも上側にあることから、カード蓋１０６を開ける動作は本実施例と同様に可能である。図４(b)には図４(a)の状態でカード蓋１０６が閉じている時のＡ−Ａ断面図、図４(c)にはカード蓋１０６が開いた状態のＡ−Ａ断面図を示す。図４の構成では、カード蓋１０６を開いたときに、表示部１０４を閉じて表示部１０４と当たらないようにするためには、図に示すカード蓋逃げ形状４０１が必要となる。このカード蓋逃げ形状４０１は表示部１０４を開いたときに右側面カバー部材１０５に大きな凹みとして存在するため、見た目の品位に欠けてしまうということがある。
【００２１】
図５(a)は回転中心２０２は表示部１０４よりも下だが、端部１０８が上面に出ていない構成の右側面模式図を示す。また、図５(b)には図５(a)の状態でカード蓋１０６が閉じている時のＡ−Ａ断面図、図５(c)にはカード蓋１０６が開いた状態のＡ−Ａ断面図を示す。図５の構成では、カード蓋１０６に指２０１を掛けて開くための座ぐり５０１が必要なのは、図のとおりである。カード蓋１０６を開けた時に表示部１０４を閉じることは図５(c)のように可能だが、図４の時と同様に、右側面カバー部材１０５に座ぐり５０１が大きな凹みとして存在するため、見た目の品位に欠けてしまうということがある。また、表示部１０４を閉じてしまうと端部１０８が表示部１０４に隠れてしまうため、カード蓋１０６の視認性にも劣る。
【００２２】
図４や図５の構成と比較して、本実施例のように、端部１０８と回転中心２０２が表示部１０４の外側に存在することで、右側面カバー部材１０５に見た目の品位を落とす凹みを存在させることなく、操作性と視認性に優れたカード蓋１０６を実現可能となる。
【符号の説明】
【００２３】
１０１ ・・・・ デジタルビデオカメラ
１０２ ・・・・ 座標系ｘｙｚ
１０３ ・・・・ 撮像レンズ部
１０４ ・・・・ 表示部
１０５ ・・・・ 右側面カバー部材
１０６ ・・・・ カード蓋
１０７ ・・・・ カード
１０８ ・・・・ 端部
１０９ ・・・・ 表示灯
２０１ ・・・・ 指
２０２ ・・・・ 回転中心
２０３ ・・・・ 突き当て部
２０４ ・・・・ 底面
４０１ ・・・・ カード蓋逃げ形状
５０１ ・・・・ 座ぐり
【図１（ａ）】
2015171125.tif 000003
【図１（ｂ）】
2015171125.tif 000004
【図１（ｃ）】
2015171125.tif 000005
【図１（ｄ）】
2015171125.tif 000006
【図２】
2015171125.tif 000007
【図３】
2015171125.tif 000008
【図４】
2015171125.tif 000009
【図５】
2015171125.tif 000010